(57)【要約】      （修正有）【課題】包装箱に印刷された文字の視認性を向上させて、作業効率の低下や誤認識によるミスを防ぐことのできる包装箱を提供する。【解決手段】包装箱１にミシン目３を施した切り取り可能な両面印刷されたカード２を備え、カードの表面には製品に関する詳細な情報を印刷し、カードの裏面には製品名のみを大きく印刷する。カードの表面は詳細な情報を元に、適正な在庫管理や安全管理に活用しても良く、カードの裏面はネームプレートとして使用し、視認性を向上させるために活用しても良い。【選択図】図１
0003189942.tif 000002
【実用新案登録請求の範囲】
【請求項１】
切り離し可能な両面印刷されたカードを備えた製品包装箱。
【請求項２】
両面印刷されたカードの、
（１）表面には製品の製品名、成分名、製造番号、使用期限又はバーコードから選択される少なくとも2以上の項目が、
（２）裏面には製品名のみが
印刷されていることを特徴とする請求項１に記載の製品包装箱。
【請求項３】
切り離したカードが安全管理及び製品識別ラベルとして使用可能な請求項１〜２に記載の製品包装箱。
【考案の詳細な説明】
【技術分野】
【０００１】
本考案は、安全管理及び製品識別に優れた切り離し可能なカードを備えた医療用医薬品の包装箱に関するものである。
【背景技術】
【０００２】
近年、治療方針の決定にあたって患者の意思が尊重されるようになっており、また、患者本人が選択できる治療の幅も広がりつつある。医療用医薬品においても、患者の利便性ないし服薬コンプライアンスの向上を目的とする剤形追加やジェネリック医薬品の普及などの事情により、剤形、規格含量、価格など、患者本人の好みや希望、年齢、経済的事情に応じた製品を選択出来るようになっている。
【０００３】
そのような選択肢の拡大は、同時に、調剤薬局や病院等の医療機関において従来よりも多種多様な医療用医薬品を幅広く取り扱う必要性を生じることになり、常に数百種類の医薬品を在庫としてストックしなくてはならなくなった。しかしながら、医療機関における医薬品の保管場所の広さには、物理的な制限があるため、調剤時に即座に医薬品の出し入れが出来る整然とした収納が難しくなり、医療従事者の作業効率が低下する一因となっている。こうした医療機関の実情を踏まえ、製薬会社では、医療用医薬品の包装箱を小型化し、保管スペースを有効に利用出来るようにしている。
【０００４】
一方で、医療用医薬品の包装箱には、表示すべき項目が細かく薬事法で規定されており、大量の情報を包装箱に印刷する必要がある。製薬会社では義務づけられた印刷項目の内、安全面と作業効率の向上性を目的として、製品名や成分名のほか、バーコード、製造番号、使用期限等を１カ所にまとめて印刷している。医療機関ではこれを利用し、箱の一部（バーコード等の表記部分）を切り取るなどして、医薬品を収納する棚のネームプレートやバーコードをスキャンすることで適正な在庫管理や安全管理に有効活用している。しかし、その様に一部を大きく切り取られた箱は、もはや医薬品保管用の箱としての機能を果たしえない。
【０００５】
また、上述した通り医療用医薬品の包装箱は、医療機関の限られた保管スペースを効率的に活用するために小型化されており、結果として重要な情報を印刷する範囲が狭くなっている。これにより、印刷された文字が小さくなり、製品を出し入れする際の視認性が低下し、調剤や在庫管理時の作業効率の低下や調剤過誤を招く原因の一つとなるというジレンマがあった。
【考案の概要】
【考案が解決しようとする課題】
【０００６】
本考案では、上記のような従来技術の問題点を解消し、充分な情報量を維持しながら視認性にも優れるカード付き医薬品用包装箱を提供する。
【課題を解決するための手段】
【０００７】
本考案は、医療用医薬品の包装箱にミシン目を施した切り取り可能な両面印刷されたカードを備えることを特徴とし、該カードの表面には製品名、成分名、バーコード、製造番号、使用期限など詳細な情報を印刷し、該カードの裏面には製品名のみを大きく印刷することを特徴としている。該カードの表面は期限管理や在庫管理に活用しても良く、該カードの裏面は調剤棚用のネームプレートとして使用し、視認性を向上させるために活用しても良い。
【考案の効果】
【０００８】
本考案の切り離し両面カード付き製品包装箱は、両面に印刷されたカードにより医療機関の作業効率と医薬品の安全管理体制を向上させることが出来る。例えば、調剤過誤防止のため、製品名のみが大きく表示された面を調剤棚のネームプレートとして使用し、必要に応じてカードを裏返して、バーコードや使用期限、製造番号など、より詳細な情報が表示された面を使用するなど、医療従事者がカードの使用方法を自由に選択出来る。また、包装箱を形成する資材が重なり合う面の一部にカードの切り離し部分を設計することにより、カードを切り離しても箱としての機能を損なわず、医療機関の在庫スペースに合わせて合理的に収納することが出来る。
【図面の簡単な説明】
【０００９】
【図１】図１は本考案の包装箱の一例を示す斜視図である。（実施例１）
【図２】図２は本考案の包装箱の一例を示しており、切り離しカードを切り取った状態の斜視図である。（実施例１）
【図３】図３は本考案の包装箱の一例から切り離された、切り離しカードの表面を示す図面である。（実施例１）
【図４】図４は本考案の包装箱の一例から切り離された、切り離しカードの裏面を示す図面である。（実施例１）
【図５】図５は本考案の包装箱の一例を示す表面の展開図である。（実施例１）
【図６】図６は本考案の包装箱の一例を示す裏面の展開図である。（実施例１）
【図７】図７は本考案の包装箱の一例を示す参考写真である。
【図８】図８は本考案の包装箱の一例を示しており、切り離しカードを切り取った状態の参考写真である。
【考案を実施するための形態】
【００１０】
本考案の切り離し両面カードが備え付けられた医療用医薬品の製品包装箱は、カード部分が両面で異なる項目が印刷されており、医療機関のそれぞれのニーズに合わせたカードの使用が出来る。
以下、本考案を添付の図面に基づいてさらに詳しく説明する。
【実施例１】
【００１１】
図１及び図２は、本考案の包装箱の１実施例を示す図である。切り離しカード２は、包装箱１に施されたミシン目３によって容易に切り離すことが可能である。切り離しカード２の表面２aには、製品名、成分名、バーコード、製造番号、使用期限などが印刷されており、裏面２b には、製品名のみが大きく印刷されている。
【００１２】
包装箱１を形成する資材が重なり合う面４に切り離しカード２を設計し、かつ、切り離しカード２の裏面が包装箱本体１に接着剤で接着されていない状態にしておくことで、切り離しカード２が切り離された後であっても、図２のとおり、包装箱１は箱としての形状が保たれる。
【００１３】
なお、本考案の切り離しカード付き製品包装箱は、上記の実施形態に限定されるものではなく、包装箱や接着剤の素材、包装箱や切り離しカードの形状及び大きさ、ミシン目の形状、印刷部分の表示項目や文字の大きさ等については、適宜変更可能である。また、包装箱中に包装される医薬品の剤形についても、錠剤、カプセル剤、顆粒剤、内服用液剤、注射剤、外用剤など、適宜選択可能であり、これらの医薬品は、PTP包装、SP包装、ピロー包装などの適当な包装がなされていて良い。
【産業上の利用可能性】
【００１４】
本考案の切り離し両面カード付き製品包装箱は、両面に印刷されたカードにより医療機関の作業効率と医薬品の安全管理体制を向上させることが出来る。例えば、調剤過誤防止のため、製品名のみが大きく表示された面を調剤棚のネームプレートとして使用し、必要に応じてカードを裏返して、バーコードや使用期限、製造番号など、より詳細な情報が表示された面を使用するなど、医療従事者がカードの使用方法を自由に選択出来る。
【００１５】
１    包装箱
２    切り離しカード
２a   切り離しカード２の表面
２b   切り離しカード２の裏面
３    ミシン目
４    資材が重なり合う面
【図１】
0003189942.tif 000003
【図２】
0003189942.tif 000004
【図３】
0003189942.tif 000005
【図４】
0003189942.tif 000006
【図５】
0003189942.tif 000007
【図６】
0003189942.tif 000008
【図７】
0003189942.tif 000009
【図８】
0003189942.tif 000010
【手続補正書】
【提出日】平成26年2月7日(2014.2.7)
【手続補正１】
【補正対象書類名】実用新案登録請求の範囲
【補正対象項目名】請求項１
【補正方法】変更
【補正の内容】
【請求項１】
両面印刷されたカードを備えたことを特徴とする製品包装箱であって、該両面印刷されたカードはミシン目により切り離し可能な製品包装箱。
【手続補正２】
【補正対象書類名】実用新案登録請求の範囲
【補正対象項目名】請求項３
【補正方法】変更
【補正の内容】
【請求項３】
切り離したカードが安全管理及び製品識別ラベルとして使用可能な請求項１または２に記載の製品包装箱。